(57)【要約】【課題】製作が容易で、操作性の良い移動手摺脱着装置を提供する。【解決手段】移動手摺脱着装置１の脱着部１６には、脱着ガイド面１８とこの脱着ガイド面１８の上方に耳掛け面２０が形成されている。移動手摺をガイドレールから取り外す場合には、張出部の長手方向に沿って本体部を相対的に前方に移動させ、耳部を脱着ガイド面１８に沿って徐々に上方に摺動移動させ耳部を張出部から取り外す。一方、移動手摺をガイドレールに取り付ける場合には、張出部の長手方向に沿って本体部を相対的に後方に移動させ、脱着ガイド面１８をほぼ鉛直に保持して耳部を押し広げると共に、耳掛け面２０で耳部を徐々に下方に引き下げて耳部を張出部に係合させて、ガイドレールに対し移動手摺を脱着する。【選択図】        図２
2004217324.tif 000002
【特許請求の範囲】
【請求項１】
両側方に張り出した張出部を有するガイドレールに対し、相対向する耳部により張出部に係合した移動手摺を脱着するエスカレータの移動手摺脱着装置であって、
張出部に係合可能で、張出部の長手方向に沿って摺動可能なレールホルダ部と、レールホルダ部の前方に連結形成され、ガイドレールに対し移動手摺を脱着する脱着部と、を備える本体部と、
レールホルダ部に設けられた把持部と、
を含み、
前記本体部は、板状部材を折り曲げて形成され、
前記脱着部は、下方から上方に斜め横断し、かつ、ガイドレールから移動手摺を取り外す場合に、ガイドレール上部面に対して、張出部に係合した耳部を張出部の上方に逃がす俯角を形成する脱着ガイド面と、前記脱着ガイド面の上方に形成され、前記脱着ガイド面が俯角を形成する場合に、ほぼ鉛直方向に伸長する耳掛け面と、を有し、
移動手摺をガイドレールから取り外す場合には、張出部の長手方向に沿って本体部を相対的に前方に移動させ、耳部を脱着ガイド面に沿って徐々に上方に摺動移動させ耳部を張出部から取り外し、
移動手摺をガイドレールに取り付ける場合には、張出部の長手方向に沿って本体部を相対的に後方に移動させ、脱着ガイド面をほぼ鉛直に保持して耳部を押し広げると共に、耳掛け面で耳部を徐々に下方に引き下げて耳部を張出部に係合させる、
ことを特徴とするエスカレータの移動手摺脱着装置。
【請求項２】
請求項１に記載のエスカレータの移動手摺脱着装置であって、
面対称となる２つの本体部が把持部の両端に設けられていることを特徴とするエスカレータの移動手摺脱着装置。
【請求項３】
請求項１に記載のエスカレータの移動手摺脱着装置であって、
前記本体部の先端は、ガイドレールから移動手摺を取り外す状態で、移動手摺の内側面に当接し、移動手摺を押し上げる高さを有することを特徴とするエスカレータの移動手摺脱着装置。
【発明の詳細な説明】
【０００１】
【発明の属する技術分野】
本発明は、エスカレータ又は移動歩道の移動手摺をガイドレールに対し脱着するためのエスカレータの移動手摺脱着装置の改良に関する。
【０００２】
【従来の技術】
図１１は、一般的なエスカレータや移動歩道に設けられる移動手摺の断面を示す図である。図１１に示すように、乗客を搬送する踏段の両脇に欄干３０が立設され、欄干３０上部のガイドレール３２に移動手摺３４が係合され踏段と同期して摺動移動される。移動手摺３４は、その両端部の耳部３６をガイドレール３２の両側方に張り出した張出部３８の下方に位置させ、張出部３８に係合している。
【０００３】
このような移動手摺３４は、ガイドレールの点検、清掃、交換等の目的でガイドレールに対ししばしば脱着される。このため、従来から、移動手摺の脱着を容易にするために、種々の移動手摺脱着装置が提案されている。
【０００４】
例えば、下記特許文献１（特開平７−２７７６５９号公報）には、乗客コンベアの移動手摺り脱着装置が開示されており、図１２は、特許文献１に開示された脱着装置の構成を示す図である。
【０００５】
図１２に示すように、特許文献１の脱着装置は、ガイドレール３２の張出部３８（前記文献中においては膨出部）に係合する係合溝４０と、一端から他端に向かって張出部３８の下方より側方を介して上方に至るように形成され、移動手摺３４の一方の耳部３６（前記文献中においては側部）を案内するスパイラル溝４２と、を有している。図１２に示すように、特許文献１の脱着装置は、係合溝４０の裏面にスパイラル溝４２が形成され、このスパイラル溝４２は、移動手摺３４の耳部３６を側方、上方および下方に付勢可能な湾曲面から形成されている。これにより、係合溝４０を張出部３８に係合させ、スパイラル溝４２に移動手摺３４の一方の耳部３６を受け入れた状態で、張出部３８に沿って相対的に移動することによって、移動手摺３４をガイドレール３２から取り外し、また逆方向に相対的に移動することによって、移動手摺３４をガイドレール３２に取り付けることができる。
【０００６】
【特許文献１】
特開平７−２７７６５９号公報（段落００２０〜００２１、図１）
【０００７】
【発明が解決しようとする課題】
しかしながら、上述した脱着装置は、図１２に示すように、係合溝４０の裏面にスパイラル溝４２が形成されているので、立体的で厚みがある。従って、重量が大きくなり、取扱性、運搬性が悪いという問題がある。また、厚みがあるので、脱着装置を製造するための製造方法が限定されてしまい、製造が困難であるという問題がある。また、移動手摺の取り外し又は取り付けが終了した時、脱着装置は移動手摺とガイドレールの間に挟まった状態になっており、厚みがあるので脱着装置の取り外しが困難であり、取扱いが不便という問題がある。
【０００８】
そこで、本発明は、上記課題を解決するためになされたもので、製造が容易で、取扱い易いエスカレータの移動手摺脱着装置を提供することを目的とする。
【０００９】
【課題を解決するための手段】
本発明は、両側方に張り出した張出部を有するガイドレールに対し、相対向する耳部により張出部に係合した移動手摺を脱着するエスカレータの移動手摺脱着装置であって、張出部に係合可能で、張出部の長手方向に沿って摺動可能なレールホルダ部と、レールホルダ部の前方に連結形成され、ガイドレールに対し移動手摺を脱着する脱着部と、を備える本体部と、レールホルダ部に設けられた把持部と、を含み、本体部は、板状部材を折り曲げて形成され、脱着部は、下方から上方に斜め横断し、かつ、ガイドレールから移動手摺を取り外す場合に、ガイドレール上部面に対して、張出部に係合した耳部を張出部の上方に逃がす俯角を形成する脱着ガイド面と、脱着ガイド面の上方に形成され、脱着ガイド面が俯角を形成する場合に、ほぼ鉛直方向に伸長する耳掛け面と、を有し、移動手摺をガイドレールから取り外す場合には、張出部の長手方向に沿って本体部を相対的に前方に移動させ、耳部を脱着ガイド面に沿って徐々に上方に摺動移動させ耳部を張出部から取り外し、移動手摺をガイドレールに取り付ける場合には、張出部の長手方向に沿って本体部を相対的に後方に移動させ、脱着ガイド面をほぼ鉛直に保持して耳部を押し広げると共に、耳掛け面で耳部を徐々に下方に引き下げて耳部を張出部に係合させる、ことを特徴とする。
【００１０】
また、本発明のエスカレータの移動手摺脱着装置は、面対称となる２つの本体部が把持部の両端に設けられていることを特徴とする。
【００１１】
更に、本発明のエスカレータの移動手摺脱着装置の本体部の先端は、ガイドレールから移動手摺を取り外す状態で、移動手摺の内側面に当接し、移動手摺を押し上げる高さを有することを特徴とする。
【００１２】
【発明の実施の形態】
本発明の原理
まず、本発明の基本原理について図面を参照し説明する。図１は、本発明のエスカレータの移動手摺脱着装置（以下、移動手摺脱着装置という）の基本原理を説明する図であり、図１（Ａ）は、平面図、図１（Ｂ）は、正面図であり、図１（Ｃ）は、右側面図である。図１（Ｄ）、（Ｅ）は、使用状態を示す図である。
【００１３】
本発明の移動手摺脱着装置１は、エスカレータや移動歩道の移動手摺３４をガイドレール３２に対して脱着するために使用される。本発明の移動手摺脱着装置１は、ガイドレール３２の張出部３８と移動手摺３４の耳部３６間に介在させ張出部３８の長手方向に沿って移動させて、ガイドレール３２に対し移動手摺３４を脱着する。
【００１４】
図１に示すように、本発明の移動手摺脱着装置１は、張出部３８に係合可能で、張出部３８の長手方向に沿って摺動可能なレールホルダ部１４と、ガイドレール３２に対し移動手摺３４を脱着する脱着部１６と、を含む本体部１０と、レールホルダ部１４に設けられた把持部１２と、で構成されている。本発明において、本体部１０は、板状部材を折り曲げて形成されている。
【００１５】
脱着部１６は、下方から上方に斜め横断し、かつ、ガイドレール３２から移動手摺３４を取り外す場合に、ガイドレール上部面に対して、張出部３８に係合した耳部３６を張出部３８の上方に逃がす俯角を形成する脱着ガイド面１８と、脱着ガイド面１８の上方に形成され、脱着ガイド面１８が俯角を形成する場合に、ほぼ鉛直方向に伸長する耳掛け面２０と、を有している。
【００１６】
脱着ガイド面１８は、図１（Ｄ）に示すように、張出部３８の下方から上方に斜め横断して形成されている。また、脱着ガイド面１８は、図１（Ｄ）に示すように、ガイドレール３２から移動手摺３４を取り外す場合に、ガイドレール上部面に対して、張出部３８に係合した耳部３６を張出部３８の上方に逃がす俯角θを形成している。従って、張出部３８の長手方向に沿って本体部１０を相対的に前方に移動させると、図１（Ｄ）に示すように、耳部３６は脱着ガイド面１８に沿って徐々に上方に摺動移動する。これにより、移動手摺３４の耳部３６を張出部３８の下方から張出部３８の上方へ移動させ、耳部３６を張出部３８から取り外し、移動手摺３４をガイドレール３２から取り外すことができる。
【００１７】
耳掛け面２０は、図１（Ｂ）に示すように、脱着ガイド面１８の上方に形成され、図１（Ｃ）に示すように、脱着ガイド面１８が上記俯角θを形成する場合に、ガイドレール上部面に対してほぼ鉛直方向に伸長する。これにより、移動手摺３４をガイドレール３２から取り外す場合に、脱着ガイド面１８に沿って徐々に摺動移動する耳部３６の移動を妨げることがないが、逆に移動手摺３４をガイドレール３２に取り付ける場合に、例えば、図１（Ｅ）に示すように、脱着ガイド面１８をほぼ鉛直に保持した状態で、張出部３８の長手方向に沿って本体部１０を相対的に後方に移動させると、張出部３８上方に位置する耳部３６を脱着ガイド面１８により押し広げられると共に、耳掛け面２０により徐々に下方に引き下げられる。これにより、移動手摺３４の耳部３６を張出部３８の上方から張出部３８の下方へ移動させ、耳部３６を張出部３８に係合し、移動手摺３４をガイドレール３２に取り付けることができる。
【００１８】
このように、本発明の移動手摺脱着装置は、取り外す場合と取り付ける場合に張出部を支点にしてその姿勢を変化させ、本体部の脱着部の部分を作用させることとしたので、本体部を板状部材等で折り曲げ形成することができ、製作が容易で、操作性の良い移動手摺脱着装置を提供することができる。
【００１９】
実施の形態
以下、本発明の好適な実施の形態（以下、実施形態という）について、図面を参照し説明する。この場合において、同一又は相当部材には同一の符号を付してその説明を省略する。
【００２０】
図２は、本実施形態の移動手摺脱着装置の斜視図である。
【００２１】
図２に示すように、移動手摺脱着装置１は、大別して、本体部１０と、本体部１０を動かすための把持部１２と、で構成されている。本体部１０は、ガイドレール３２の張出部３８に係合可能で、張出部の長手方向に沿って摺動可能なレールホルダ部１４と、ガイドレール３２に対し移動手摺３４を脱着する脱着部１６と、を含む。なお、本明細書において、特に断らない限り、「前」は本体部の方向、「後」はレールホルダ部の方向、「上」は、耳掛け面の方向、「下」は、その逆の方向、「内」は、レールホルダ部の溝が形成された側、「外」はその逆側を示す。
【００２２】
本実施形態において、脱着部１６は、レールホルダ部１４の前方に連結形成され、すなわち、脱着部１６とレールホルダ部１４とが一体形成されて構成されている。また、脱着部１６は、内側にやや屈曲して形成されている。本体部１０は、例えば金属製の板状部材を折り曲げて形成することができ、把持部１２は、例えば木製の棒で形成することができる。本実施形態においては、本体部１０の全長Ｌ１は例えば約１２ｃｍであり、レールホルダ部１４の幅Ｗ１は例えば約１．３ｃｍであり、脱着部１６の幅Ｗ２は例えば約３ｃｍであり、把持部１２の全長Ｌ２は例えば約２３ｃｍである。
【００２３】
レールホルダ部１４は、図２に示すように、例えば、両端部が内側に屈曲され、断面コの字形状をしている。これにより、移動手摺３４をガイドレール３２に対し脱着する場合に、レールホルダ部１４は張出部３８に係合し、張出部の長手方向に沿って摺動させることができる。このように、レールホルダ部１４は、移動手摺３４の脱着の際のガイドの役割を果たし、この結果、レールホルダ部１４の前方に連結形成された脱着部１６を安定して摺動移動させることができる。なお、レールホルダ部１４は、張出部３８の形状に合わせて、断面Ｕ字形状に形成しても好適である。
【００２４】
次に、脱着部１６について説明する。図３は、本体部１０の正面図であり、図４は、本体部１０の背面図であり、図５は、図３のＡ−Ａ’線断面図である。
【００２５】
図３、５に示すように、脱着部１６には、張出部３８の下方から上方に斜め横断し、かつ、ガイドレール３２から移動手摺３４を取り外す場合に、ガイドレール上部面に対して、張出部３８に係合した耳部３６を張出部３８の上方に逃がす俯角θを形成する脱着ガイド面１８と、脱着ガイド面１８の上方に形成され、脱着ガイド面１８が俯角θを形成する場合に、ほぼ鉛直方向に伸長する耳掛け面２０と、が形成されている。また、脱着ガイド面１８の下側には、レールホルダ部１４の下辺に沿って内側に屈曲したガイド帯２２が形成されている。
【００２６】
脱着ガイド面１８は、図３、図５に示すように、脱着部１６の先端部から基端部にかけて内側に傾斜した傾斜面で構成されている。脱着ガイド面１８は、レールホルダ部１４が張出部３８に係合した状態において、張出部３８の下方から上方に斜め横断する。更に、脱着ガイド面１８は、移動手摺３４をガイドレール３２から取り外す場合に、ガイドレール上部面に対して張出部３８に係合した耳部３６を張出部３８の上方に逃がす俯角θを形成する。図５には、ガイドレール上部面に平行なＡ−Ａ’線が示され、俯角θが形成されている様子を示している。この俯角θを有する脱着ガイド面１８は、耳部３６の硬さを考慮して形成したり、移動手摺３４をガイドレール３２から取り外す場合の姿勢を変えることにより形成することができる。本実施形態において、脱着ガイド面１８は、レールホルダ部１４の両端部がガイドレール上部面と平行に配置された姿勢で、上記俯角θを形成する。これにより、移動手摺３４をガイドレール３２から取り外す場合には、移動手摺３４の耳部３６は脱着部１６の先端１６ａから導入し、脱着ガイド面１８に沿って徐々に上方に摺動移動し、脱着部１６の基端１６ｂから導出する。なお、移動手摺３４をガイドレール３２に取り付ける場合には、移動手摺３４の耳部３６は、逆の方向、すなわち、基端１６ｂから導入し、１６ａから導出する。
【００２７】
脱着部１６の先端１６ａは、ガイドレールに対し移動手摺を取り外す場合に、移動手摺３４の内側面に当接し、移動手摺３４を押し上げる高さを有している。これにより、耳部３６と内側面とが広げられ、その復元力を利用して、小さな力で耳部３６を脱着ガイド面１８に載せることができる。
【００２８】
耳掛け面２０は、図５に示すように、本実施形態において、脱着ガイド面１８の上方に脱着ガイド面１８の傾斜方向とは逆に屈曲して形成されている。この耳掛け面２０の傾斜角度は、脱着ガイド面１８が上記俯角θを形成する場合に、ガイドレール上部面に対してほぼ鉛直方向に伸長する。これにより、移動手摺３４をガイドレール３２から取り外す場合に、脱着ガイド面１８上の耳部３６の移動を妨げることを防止することができる。一方、移動手摺３４をガイドレール３２に取り付ける場合に、脱着ガイド面１８をほぼ鉛直に保持して、耳掛け面２０を外側に傾斜させる。これにより、耳掛け面２０で耳部を引っ掛け、徐々に下方に引き下げることができる。本実施形態において、図５に示すように、耳掛け面２０は、外側に向かって湾曲して形成されている。これにより、耳掛け面２０は、耳部３６を巻き掛け易くなっている。
【００２９】
ガイド帯２２は、図３、４に示すように、脱着部１６のガイドとして、脱着ガイド面１８の下端に連なる内側に屈曲した面で形成されている。このガイド帯２２は、レールホルダ部１４の下端より緩やかに屈曲している。これにより、脱着部１６が移動手摺３４の耳部３６とガイドレール３２の張出部３８の間に介在された場合に、脱着部１６の上下方向の回動をし易くし、操作性を向上させている。
【００３０】
このように、本実施形態の移動手摺脱着装置は、取り外す場合と取り付ける場合に張出部を支点にしてその姿勢を変化させ、本体部の脱着部の部分を作用させている。従って、本体部を板状部材等で折り曲げ形成することができ、製作が容易となる。また、本体部を薄くすることができるので、操作性の良い移動手摺脱着装置を提供することができる。
【００３１】
なお、本体部１０は、ゴム等で形成された移動手摺３４の耳部３６を摺動移動させるので、本体部１０が摩擦熱を発生しないようにコーティング処理をすると好適である。
【００３２】
把持部１２は、レールホルダ部１４の外側に設けられている。例えば、把持部１２は、直径約３ｃｍの棒で構成し、図２に示すように、レールホルダ部１４の外側に垂設された連結板２４を把持部１２の一方の端部の中央に挟み、ねじ止めすることにより、レールホルダ部１４に設けることができる。
【００３３】
次に、移動手摺脱着装置１の作用について説明する。
【００３４】
まず、移動手摺をガイドレールから取り外す場合について説明する。図６は、移動手摺をガイドレールから取り外す場合の移動手摺脱着装置１を耳部と張出部の間に配置した状態を示す側面図であり、図７（Ａ）〜（Ｆ）は、それぞれ図６のＡ−Ａ’線〜Ｆ−Ｆ’線に沿う縦断面図である。
【００３５】
まず、作業者は図示しない治具等を用いて移動手摺３４の耳部３６の一部をガイドレール３２の張出部３８から外しておく。この初期状態において、脱着部１６の先端１６ａを耳部３６と張出部３８の間に挿入し、図６、図７（Ｆ）に示すように、ガイドレール上部面に対して把持部１２がほぼ水平になるようにレールホルダ部１４と張出部３８を係合させる。この初期状態から本体部１０を相対的に前方に移動させ、耳部３６を張出部３８から取り外していく。
【００３６】
図７（Ａ）に示される部分では、脱着部１６の先端１６ａ上縁が移動手摺３４の内側面に当接し、移動手摺３４を上方に押し上げ、図７（Ｂ）に示される部分では、脱着ガイド面１８が耳部３６を上方に広げつつ、耳部３６が脱着ガイド面１８に載るよう導かれている。図７（Ｃ）に示される部分では、耳部３６は脱着ガイド面１８に沿って徐々に摺動移動させられ、図７（Ｄ）に示される部分では、脱着ガイド面１８は耳部３６を張出部３８を超えて上方に摺動移動させる。図７（Ｅ）に示される部分では、脱着ガイド面１８は耳部３６を更に上方に摺動移動させ、張出部３８の上方に移動させ、耳部３６と張出部３８との係合を解除する。脱着ガイド面１８は耳部を張出部の上方に逃がす俯角θを形成しているので、耳部を張出部から連続的に取り外すことができる。
【００３７】
なお、移動手摺３４の耳部３６が硬い場合や耳部が厚い場合に取り外し難い場合がある。このような場合には、移動手摺脱着装置１の把持部１２をガイドレール上部面より上方で上下動させることにより、テコの原理を利用して耳部３６を張出部３８から取り外すことができる。
【００３８】
次に、移動手摺をガイドレールに取り付ける場合について説明する。図８は、移動手摺をガイドレールに取り付ける場合の移動手摺脱着装置を耳部と張出部の間に配置した状態を示す側面図であり、図９（Ａ）〜（Ｆ）は、それぞれ図８のＡ−Ａ’線〜Ｆ−Ｆ’線に沿う縦断面図である。
【００３９】
まず、作業者は、脱着部１６の先端１６ａを耳部３６と張出部３８の間に挿入させ、図８、図９（Ａ）に示されるように、ガイドレール上部面に対して把持部１２を下側、例えば４５度位傾け、レールホルダ部１４と張出部３８を係合させる。この状態から本体部を相対的に後方に移動させ、耳掛け面２０で上方の耳部３６を下方に引き下げつつ、耳部３６を張出部３８に係合させていく。
【００４０】
図９（Ｂ）に示される部分では、耳部は張出部の上方にあり、脱着部１６の基端１６ｂから耳部３６を導入し、把持部１２を傾けることによってほぼ鉛直に保持された脱着ガイド面１８が耳部を側方に押し広げる。図９（Ｃ）に示される部分では、脱着ガイド面１８は耳部３６を押し広げると共に、耳掛け面２０で下方に引き下げられる。図９（Ｄ）、（Ｅ）に示される部分では、更に耳掛け面２０は耳部３６を下方に引き下げ、上方の耳部３６を張出部３８を越えて下方へ引き下げる。図９（Ｆ）に示される部分では、耳掛け面２０は、耳部３６を張出部３８の下方に押し下げ、耳部３６を張出部３８に係合される。これにより、張出部３８上方の耳部３６を張出部３８の下方に引き下げ係合させることができる。
【００４１】
変形例
図１０は、移動手摺脱着装置の変形例を示す図である。
【００４２】
図１０に示すように、この移動手摺脱着装置２には、本体部１０と、本体部１０と面対称となる本体部２６が各々把持部１２の端部に設けられている。
【００４３】
移動手摺脱着装置を使用してガイドレール３２に対し移動手摺３４を脱着させる場合、作業者は下階から上階へ向かって上昇する方向に操作する方が安全であり、操作がし易い。移動手摺３４は踏段の両脇に設けられているので、この変形例の移動手摺脱着装置２においては、本体部１０又は本体部２６を操作させることにより、どちらの移動手摺を脱着する場合にも下階から上階に向かって上昇方向で操作することができる。
【００４４】
【発明の効果】
以上説明したように、本発明の移動手摺脱着装置は、  取り外す場合と取り付ける場合に張出部を支点にしてその姿勢を変化させ、本体部の脱着部の部分を作用させている。従って、本体部を板状部材等で折り曲げ形成することができ、製作が容易となる。また、本体部を薄くすることができるので、操作性の良い移動手摺脱着装置を提供することができる。
【図面の簡単な説明】
【図１】本発明のエスカレータの移動手摺脱着装置の基本原理を説明する図である。
【図２】本実施形態の移動手摺脱着装置の斜視図である。
【図３】本体部１０の正面図である。
【図４】本体部１０の背面図である。
【図５】図３のＡ−Ａ’線断面図である。
【図６】移動手摺をガイドレールから取り外す場合の移動手摺脱着装置１を耳部と張出部の間に配置した状態を示す側面図である。
【図７】図７（Ａ）〜（Ｆ）は、それぞれ図６のＡ−Ａ’線〜Ｆ−Ｆ’線に沿う縦断面図である。
【図８】移動手摺をガイドレールに取り付ける場合の移動手摺脱着装置を耳部と張出部の間に配置した状態を示す側面図である。
【図９】図９（Ａ）〜（Ｆ）は、それぞれ図８のＡ−Ａ’線〜Ｆ−Ｆ’線に沿う縦断面図である。
【図１０】移動手摺脱着装置の変形例を示す図である。
【図１１】移動手摺の断面を示す図である。
【図１２】特許文献１に開示された脱着装置の構成を示す図である。
【符号の説明】
１，２  移動手摺脱着装置、１０  本体部、１２  把持部、１８  脱着ガイド面、２０  耳掛け面、２２  ガイド帯、２４  連結板、３０  欄干、３２  ガイドレール、３４  移動手摺、３６  耳部、３８  張出部。
【図１】
2004217324.tif 000003
【図２】
2004217324.tif 000004
【図３】
2004217324.tif 000005
【図４】
2004217324.tif 000006
【図５】
2004217324.tif 000007
【図６】
2004217324.tif 000008
【図７】
2004217324.tif 000009
【図８】
2004217324.tif 000010
【図９】
2004217324.tif 000011
【図１０】
2004217324.tif 000012
【図１１】
2004217324.tif 000013
【図１２】
2004217324.tif 000014